(57)【要約】【課題】複数のユーザが画像処理装置を共有で使用する場合であっても、他のユーザによる画像処理装置の使用状況によらず確実に原稿読取送信ジョブを実行する仕組みを提供する。【解決手段】読取手段で原稿を読み取って画像データを生成する画像処理装置であって、ネットワークを介して通信可能な情報処理装置から、前記読取手段に原稿を読み取らせて画像データを生成させ、前記画像データを指定された宛先に送信させる原稿読取送信ジョブを受信し、前記原稿読取送信ジョブを受信した場合、前記情報処理装置のユーザの認証情報と、前記画像処理装置のユーザの認証情報とが一致するか否かを判定し、一致すると判定した場合、前記原稿読取送信ジョブの実行に係る設定を受け付ける設定画面を表示し、前記設定画面を介して受け付けた指示に応じて、前記原稿読取送信ジョブを実行することによって課題を解決する。【選択図】図６
2019115081.tif 000002
【特許請求の範囲】
【請求項１】
読取手段で原稿を読み取って画像データを生成する画像処理装置であって、
ネットワークを介して通信可能な情報処理装置から、前記読取手段に原稿を読み取らせて画像データを生成させ、前記画像データを指定された宛先に送信させる原稿読取送信ジョブを受信する受信手段と、
前記受信手段により前記原稿読取送信ジョブが受信された場合、前記情報処理装置のユーザの認証情報と、前記画像処理装置のユーザの認証情報とが一致するか否かを判定する判定手段と、
前記判定手段により一致すると判定された場合、前記原稿読取送信ジョブの実行に係る設定を受け付ける設定画面を表示する設定画面表示手段と、
前記設定画面表示手段により表示された前記設定画面を介して受け付けた指示に応じて、前記原稿読取送信ジョブを実行する実行手段と、
を有する画像処理装置。
【請求項２】
前記受信手段は、前記情報処理装置のユーザの認証情報が付加された前記原稿読取送信ジョブを受信し、
前記判定手段は、前記原稿読取送信ジョブが受信された場合、前記原稿読取送信ジョブに付加された前記情報処理装置のユーザの認証情報と、前記画像処理装置のユーザの認証情報とが一致するか否かを判定する請求項１に記載の画像処理装置。
【請求項３】
前記原稿読取送信ジョブの受信後に前記画像処理装置のユーザ認証がされた場合であって、かつ、前記判定手段により一致しないと判定された場合、待機画面を表示する待機画面表示手段を更に有する請求項１又は２に記載の画像処理装置。
【請求項４】
前記原稿読取送信ジョブの受信前に前記画像処理装置のユーザ認証がされた場合であって、かつ、前記判定手段により一致しないと判定された場合、前記原稿読取送信ジョブを実行待ち状態として保持する保持手段を更に有する請求項１又は２に記載の画像処理装置。
【請求項５】
前記受信手段は、前記原稿読取送信ジョブ又は画像データを含む送信ジョブの少なくとも何れかを前記情報処理装置から受信し、
前記実行手段は、前記受信手段により前記送信ジョブが受信された場合には、前記画像処理装置でのユーザ認証の有無に関わらず前記送信ジョブを実行して前記画像データを指定された宛先に送信する請求項１乃至４の何れか１項に記載の画像処理装置。
【請求項６】
前記設定画面表示手段は、前記原稿読取送信ジョブの実行にともなう前記読取手段での原稿の読み取りに係る設定を受け付ける前記設定画面を表示する請求項１乃至５の何れか１項に記載の画像処理装置。
【請求項７】
前記画像処理装置においてユーザ認証がされない場合、前記受信手段により受信された前記原稿読取送信ジョブを実行するか否かをユーザに選択させる選択画面を表示する選択画面表示手段を更に有し、
前記実行手段は、前記選択画面を介して受け付けた指示に応じて処理を実行する請求項１乃至６の何れか１項に記載の画像処理装置。
【請求項８】
前記選択画面表示手段は、前記原稿読取送信ジョブを実行するか又は前記原稿読取送信ジョブを実行せずに保持するかに係る指示を受け付ける前記選択画面を表示する請求項７に記載の画像処理装置。
【請求項９】
前記選択画面を介して前記原稿読取送信ジョブを実行せずに保持する指示を受け付けた場合、前記指示を受け付けてからの経過時間を計測する計測手段を更に有し、
前記選択画面表示手段は、前記計測手段により計測された経過時間が所定時間経過した場合、再度、前記選択画面を表示する請求項７又は８に記載の画像処理装置。
【請求項１０】
読取手段で原稿を読み取って画像データを生成する画像処理装置が実行する画像処理方法であって、
ネットワークを介して通信可能な情報処理装置から、前記読取手段に原稿を読み取らせて画像データを生成させ、前記画像データを指定された宛先に送信させる原稿読取送信ジョブを受信する受信ステップと、
前記受信ステップにより前記原稿読取送信ジョブが受信された場合、前記情報処理装置のユーザの認証情報と、前記画像処理装置のユーザの認証情報とが一致するか否かを判定する判定ステップと、
前記判定ステップにより一致すると判定された場合、前記原稿読取送信ジョブの実行に係る設定を受け付ける設定画面を表示する設定画面表示ステップと、
前記設定画面表示ステップにより表示された前記設定画面を介して受け付けた指示に応じて、前記原稿読取送信ジョブを実行する実行ステップと、
を含む画像処理方法。
【請求項１１】
読取手段で原稿を読み取って画像データを生成するコンピュータに、
ネットワークを介して通信可能な情報処理装置から、前記読取手段に原稿を読み取らせて画像データを生成させ、前記画像データを指定された宛先に送信させる原稿読取送信ジョブを受信する受信ステップと、
前記受信ステップにより前記原稿読取送信ジョブが受信された場合、前記情報処理装置のユーザの認証情報と、前記コンピュータのユーザの認証情報とが一致するか否かを判定する判定ステップと、
前記判定ステップにより一致すると判定された場合、前記原稿読取送信ジョブの実行に係る設定を受け付ける設定画面を表示する設定画面表示ステップと、
前記設定画面表示ステップにより表示された前記設定画面を介して受け付けた指示に応じて、前記原稿読取送信ジョブを実行する実行ステップと、
を実行させるためのプログラム。
【発明の詳細な説明】
【技術分野】
【０００１】
本発明は、画像処理装置、画像処理方法及びプログラムに関する。
【背景技術】
【０００２】
従来、クライアントコンピュータで生成した画像データを、ＬＡＮ（Ｌｏｃａｌ  Ａｒｅａ  Ｎｅｔｗｏｒｋ）を介してファックス装置に送信し、ファックス装置からファックス送信する機能が知られている。この場合、ファックス送信の宛先はクライアントコンピュータ側でユーザが指定することが可能であった。
また、クライアントコンピュータ側で画像データを準備せず、ユーザが指定した宛先のみをファックス装置に通知し、ファックス装置側で原稿を読み取って生成した画像データを指定された宛先にファックス送信する機能も知られていた（特許文献１）。
【先行技術文献】
【特許文献】
【０００３】
【特許文献１】特開平７−２８８６２５号公報
【発明の概要】
【発明が解決しようとする課題】
【０００４】
しかしながら、特許文献１に記載の技術では、ファックス装置のスキャナ部が使用中である場合や、ファックス装置が他のクライアントコンピュータからの指示による原稿読取送信ジョブを実行中である場合には新規の原稿読取送信ジョブを受け付けない。即ち、特許文献１に記載の技術においては、他のユーザによるファックス装置の使用状況によって新規の原稿読取送信ジョブの実行可否が決定されるため使い勝手が良くないという問題があった。
また、特許文献１に記載の技術では、別々のクライアントコンピュータからほぼ同時に原稿読取送信ジョブを受信した場合、先に受信したジョブで指定されている宛先に対して原稿を読み取って生成した画像データを送信する。そのため、ユーザが意図していない宛先、即ち、他のクライアントコンピュータから指示された原稿読取送信ジョブで指定されている宛先に対して画像データが送信される可能性があり、セキュリティ上問題がある。
本発明は、複数のユーザが画像処理装置を共有で使用する場合であっても、他のユーザによる画像処理装置の使用状況によらず確実に原稿読取送信ジョブを実行する仕組みを提供することを目的とする。
【課題を解決するための手段】
【０００５】
そこで、本発明の画像処理装置は、読取手段で原稿を読み取って画像データを生成する画像処理装置であって、ネットワークを介して通信可能な情報処理装置から、前記読取手段に原稿を読み取らせて画像データを生成させ、前記画像データを指定された宛先に送信させる原稿読取送信ジョブを受信する受信手段と、前記受信手段により前記原稿読取送信ジョブが受信された場合、前記情報処理装置のユーザの認証情報と、前記画像処理装置のユーザの認証情報とが一致するか否かを判定する判定手段と、前記判定手段により一致すると判定された場合、前記原稿読取送信ジョブの実行に係る設定を受け付ける設定画面を表示する設定画面表示手段と、前記設定画面表示手段により表示された前記設定画面を介して受け付けた指示に応じて、前記原稿読取送信ジョブを実行する実行手段と、を有する。
【発明の効果】
【０００６】
本発明によれば、複数のユーザが画像処理装置を共有で使用する場合であっても、他のユーザによる画像処理装置の使用状況によらず確実に原稿読取送信ジョブを実行する仕組みを提供することができる。
【図面の簡単な説明】
【０００７】
【図１】画像処理システムのシステム構成の一例を示す図である。
【図２】ＭＦＰのハードウェア構成の一例を示す図である。
【図３】ＭＦＰのソフトウェア構成の一例を示す図である。
【図４】タブレット型端末のハードウェア構成の一例を示す図である。
【図５】タブレット型端末の操作画面の一例を示す図（その１）である。
【図６】画像処理システムの処理の一例を示すシーケンス図（その１）である。
【図７】画像処理システムの処理の一例を示すシーケンス図（その２）である。
【図８】タブレット型端末の操作画面の一例を示す図（その２）である。
【図９】タブレット型端末の操作画面の一例を示す図（その３）である。
【図１０】画像処理システムの処理の一例を示すシーケンス図（その３）である。
【図１１】ＭＦＰの処理の一例を示すフローチャート（その１）である。
【図１２】ＭＦＰの処理の一例を示すフローチャート（その２）である。
【図１３】ＭＦＰの表示画面の一例を示す図（その１）である。
【図１４】画像処理システムの処理の一例を示すシーケンス図（その４）である。
【図１５】ＭＦＰの処理の一例を示すフローチャート（その３）である。
【図１６】ＭＦＰの処理の一例を示すフローチャート（その４）である。
【図１７】ＭＦＰの表示画面の一例を示す図（その２）である。
【発明を実施するための形態】
【０００８】
以下、本発明を実施するための最良の形態について図面を用いて説明する。なお、以下の実施の形態は特許請求の範囲に係る発明を限定するものでなく、また実施の形態で説明されている特徴の組み合わせの全てが発明の解決手段に必須のものとは限らない。
＜実施形態１＞
本発明の実施形態１について説明する。図１は、本実施形態における画像処理システムのシステム構成の一例を示す図である。情報処理装置の一例であるタブレット型端末１０１は、無線ネットワークルーター（無線アクセスポイント）１０２を介してＭＦＰ１０３と通信する。ＭＦＰ１０３は、画像処理装置の一例である。タブレット型端末１０１と無線ネットワークルーター１０２とは無線ＬＡＮ（Ｌｏｃａｌ  Ａｒｅａ  Ｎｅｔｗｏｒｋ）で接続されている。ＭＦＰ１０３と無線ネットワークルーター１０２とは有線ＬＡＮで接続されている。また、ＭＦＰ１０３は、公衆回線網（ＰＳＴＮ）にも接続されている。なお、タブレット型端末１０１とＭＦＰ１０３との通信経路は上述したものに限らない。例えば、タブレット型端末１０１と無線ネットワークルーター１０２とが有線ＬＡＮで接続されていても良い。また、ＭＦＰ１０３と無線ネットワークルーター１０２とが無線ＬＡＮで接続されていても良い。更に、タブレット型端末１０１とＭＦＰ１０３とが同一ネットワークに接続されていても良い。即ち、タブレット型端末１０１とＭＦＰ１０３とがネットワークを介して通信可能な構成であればどのような構成であっても良い。
【０００９】
図２は、ＭＦＰ１０３のハードウェア構成の一例を示す図である。ＣＰＵ２１１を含む制御部２１０は、ＭＦＰ１０３全体の動作を制御する。ＣＰＵ２１１は、ＲＯＭ２１２に記憶された制御プログラムを読み出して、読取／印刷／通信等の各種制御を行う。より具体的に説明すると、ＣＰＵ２１１は、ＲＯＭ２１２等に記憶されたプログラムを読み出して実行することにより、後述するＭＦＰ１０３のソフトウェア構成、シーケンス図におけるＭＦＰ１０３の処理及びフローチャートに示す各処理を実現する。
ＲＡＭ２１３は、ＣＰＵ２１１の主メモリ、ワークエリア等の一時記憶領域として用いられる。なお、ＭＦＰ１０３は１つのＣＰＵ２１１が１つのメモリ（ＲＡＭ２１３又はＨＤＤ２１４）を用いて後述するフローチャートに示す各処理を実行するものとするが、他の態様であっても構わない。例えば、複数のＣＰＵや複数のＲＡＭ又はＨＤＤを協働させてフローチャートに示す各処理を実行するようにすることもできる。
ＨＤＤ２１４は、画像データや各種プログラムを記憶する。また、ＨＤＤ２１４は、ＭＦＰ１０３の各種設定データの記憶領域としても使用される。操作部Ｉ／Ｆ２１５は、操作部２２０と制御部２１０とを接続する。操作部２２０には、タッチパネル機能を有する液晶表示部やキーボード等が備えられており、ユーザによる操作、入力、指示を受け付ける受付部としての役割を担う。
【００１０】
プリンタＩ／Ｆ２１６は、プリンタ２２１と制御部２１０とを接続する。プリンタ２２１で印刷すべき画像データはプリンタＩ／Ｆ２１６を介して制御部２１０から転送され、プリンタ２２１により記録媒体上に印刷される。
スキャナＩ／Ｆ２１７は、スキャナ２２２と制御部２１０とを接続する。スキャナ２２２は、原稿を読み取って画像データを生成し、スキャナＩ／Ｆ２１７を介して制御部２１０に入力する。
モデムＩ／Ｆ２１８は、モデム２２３と制御部２１０とを接続する。モデム２２３は、ＰＳＴＮに接続され、外部のファックス装置（図示せず）との間における画像データのファックス通信を実行する。ネットワークＩ／Ｆ２１９は、制御部２１０（ＭＦＰ１０３）を有線ＬＡＮに接続する。ＭＦＰ１０３は、ネットワークＩ／Ｆ２１９を用いて外部装置と通信し、画像データや各種情報を送受信することができる。
【００１１】
図３は、ＭＦＰ１０３のソフトウェア構成の一例を示す図である。図３において実線で示した各部は、ＣＰＵ２１１がＲＯＭ２１２又はＨＤＤ２１４に記憶されたプログラムを読み出して実行することにより実現されるソフトウェアモジュールである。ＵＩ（Ｕｓｅｒ  Ｉｎｔｅｒｆａｃｅ）部３０１は、操作部２２０を介して各種情報をユーザに提供するとともに、ユーザからの各種指示を受け付ける。Ｊｏｂ  Ｃｏｎｔｒｏｌｌｅｒ部３０２は、コピーやプリント、ファックス等のジョブを受け付け、受け付けたジョブの実行を制御する。Ｐｒｏｔｏｃｏｌ  Ｓｔａｃｋ部３０４は、ＴＣＰ／ＩＰやＨＴＴＰ（Ｈｙｐｅｒｔｅｘｔ  Ｔｒａｎｓｆｅｒ  Ｐｒｏｔｏｃｏｌ）等の各種ネットワークプロトコルを保持する。
本実施形態において、タブレット型端末１０１から送信される画像データは、Ｐｒｏｔｏｃｏｌ  Ｓｔａｃｋ部３０４に保持されたネットワークプロトコルに従い、ネットワークＩ／Ｆ２１９を介して受信される。受信した画像データは、Ｉｍａｇｅ  Ｆｉｌｅ部３０３によって格納される。Ｉｍａｇｅ  Ｆｉｌｅ部３０３は、ＲＡＭ２１３やＨＤＤ２１４に格納された画像データを管理するソフトウェアモジュールである。
【００１２】
Ｉｍａｇｅ  Ｆｉｌｅ部３０３は、ネットワークＩ／Ｆ２１９を介して受信した画像データだけでなく、スキャナ２２２によって生成された画像データも格納する。スキャナ２２２による画像データの生成は、Ｓｃａｎ部３０６によって制御される。Ｆａｘ部３０５は、モデム２２３を介したファックス通信を制御する。ＭＦＰ１０３からのファックス送信を行う場合は、Ｆａｘ部３０５が、Ｉｍａｇｅ  Ｆｉｌｅ部３０３に格納されている画像データを読み出して送信する。
ＯＳ（Ｏｐｅｒａｔｉｎｇ  Ｓｙｓｔｅｍ）部３０８は、各モジュールやタスクを調整し、ＭＦＰ１０３のソフトウェア全体を管理する。ＯＳ部３０８には、Ｄｅｖｉｃｅ  Ｄｒｉｖｅｒ部３０７が組み合わされている。Ｄｅｖｉｃｅ  Ｄｒｉｖｅｒ部３０７は、スキャナ２２２やモデム２２３等のハードウェアデバイスを制御する。
Ａｕｔｈｅｎｔｉｃａｔｉｏｎ部３０９は、ユーザ認証を制御するモジュールである。ＭＦＰ１０３においてユーザ認証が有効にされている場合、ユーザは、操作部２２０を介してユーザ名及びパスワードから成る認証情報を入力するログイン操作を行う必要がある。Ａｕｔｈｅｎｔｉｃａｔｉｏｎ部３０９は、入力された認証情報を予め登録された認証情報と照合して認証の可否を判定し、認証可となった場合に、ユーザはＭＦＰ１０３を使用することができる。なお、ＭＦＰ１０３において、ユーザ認証が無効になっている場合、ログイン操作及びＡｕｔｈｅｎｔｉｃａｔｉｏｎ部３０９による認証無しに、ユーザはＭＦＰ１０３を使用することができる。
【００１３】
図４は、タブレット型端末１０１のハードウェア構成の一例を示す図である。ＣＰＵ４１１を含む制御部４１０は、タブレット型端末１０１全体の動作を制御する。ＣＰＵ４１１は、メモリ４１２に記憶された制御プログラムを読み出して各種制御を行う。より具体的に説明すると、ＣＰＵ４１１は、メモリ４１２等に記憶されたプログラムを読み出して実行することにより、タブレット型端末１０１の機能及び後述するシーケンス図におけるタブレット型端末１０１の処理を実現する。また、メモリ４１２は、ＣＰＵ４１１の主メモリ、ワークエリア等の一時記憶領域としても用いられる。なお、タブレット型端末１０１は１つのＣＰＵ４１１が１つのメモリ４１２を用いて各処理を実行するものとするが、他の態様であっても構わない。例えば、複数のＣＰＵや複数のメモリを協働させて各処理を実行するようにすることもできる。
操作部Ｉ／Ｆ４１３は、操作部４２０と制御部４１０とを接続する。操作部４２０には、タッチパネル機能を有する液晶表示部が備えられており、ユーザによる操作、入力、指示等を受け付ける受付部としての役割を担う。ネットワークＩ／Ｆ４１４は、制御部４１０（タブレット型端末１０１）を無線ＬＡＮに接続する。タブレット型端末１０１は、ネットワークＩ／Ｆ４１４を用いて外部装置に画像データや情報を送信したり、各種情報を受信したりすることができる。
【００１４】
図５は、タブレット型端末１０１に表示されるファックス送信アプリケーションの操作画面の一例を示す図である。ファックス送信アプリケーションは、インターネット上のサーバからダウンロードしてタブレット型端末１０１に追加インストールすることが可能なアプリケーションであり、タブレット型端末１０１のＯＳ部上で操作するソフトウェアである。ファックス送信アプリケーションを用いることにより、ＭＦＰ１０３にファックス送信を行わせるための設定をタブレット型端末１０１側で行うことができる。後述するタブレット型端末１０１の動作はファックス送信アプリケーションからの指示に基づいて実行される。
タブレット型端末１０１でファックス送信アプリケーションを起動すると、図５に示す操作画面が表示される。設定欄５０１は、ファックス送信を実行させるＭＦＰを選択設定する欄である。設定欄５０１にタッチすると、タブレット型端末１０１が周囲にあるＭＦＰを検索し、見つかったＭＦＰが一覧表示される。ユーザは、表示されたＭＦＰからファックス送信を実行させるＭＦＰを選択することができる。
設定欄５０２は、ファックス送信の宛先となる電話番号（ファックス番号）を設定する欄である。ユーザは、タブレット型端末１０１に表示されるソフトキーボードを用いて電話番号を入力しても良いし、タブレット型端末１０１に記憶されているアドレス帳を参照して電話番号を選択しても良い。
設定欄５０３は、ＭＦＰ１０３のスキャナ２２２を用いて実行するスキャン処理（読取処理）の詳細設定を行う欄である。設定欄５０３をタッチすると、解像度や画質、原稿サイズ等の読取パラメータを指定するための画面が表示され、この画面を介してユーザからスキャン設定を受け付ける。なお、設定欄５０３により設定されたスキャン処理の詳細設定は、スキャン処理開始前であればＭＦＰ１０３の操作部２２０によりユーザが変更することができる。
ファックス送信キー５０４は、ＭＦＰ１０３に対してファックス送信の実行を指示するためのキーである。設定欄５０１乃至５０３の設定が済んだ後にファックス送信キー５０４が押下されると、タブレット型端末１０１とＭＦＰ１０３との通信が開始される。
【００１５】
図６及び図７を用いてタブレット型端末１０１とＭＦＰ１０３とにおける処理のシーケンスを説明する。
図６は、タブレット型端末１０１からＭＦＰ１０３に対してファックス送信の実行が指示された後で、ＭＦＰ１０３にユーザがログインする場合の処理の一例を示すシーケンス図である。即ち、タブレット型端末１０１からの原稿読取送信ジョブの受信後にＭＦＰ１０３にユーザがログインする場合の処理について説明する。なお、原稿読取送信ジョブとは、スキャンコマンドを含むファックス送信ジョブのことである。Ｓ６０１では、タブレット型端末１０１が、図５のタブレット型端末１０１の操作画面を介してユーザからの設定を受け付ける。Ｓ６０２では、タブレット型端末１０１が、ＭＦＰ１０３にジョブ生成のためのコマンドを送信する。このコマンドには、タブレット型端末１０１を操作しているユーザの認証情報が付加されているものとする。このコマンドを受けたＭＦＰ１０３は、Ｓ６０３でＯＫをタブレット型端末１０１に応答する。
Ｓ６０４では、タブレット型端末１０１が、ＭＦＰ１０３にスキャンの実行を指示するスキャンコマンドを送信する。このコマンドを受けたＭＦＰ１０３は、Ｓ６０５でＯＫをタブレット型端末１０１に応答する。Ｓ６０６では、タブレット型端末１０１が、ＭＦＰ１０３にジョブ終了のためのコマンドを送信する。このコマンドを受けたＭＦＰ１０３は、Ｓ６０７でＯＫをタブレット型端末１０１に応答する。ＭＦＰ１０３は、Ｓ６０８でＳ６０２乃至Ｓ６０７で受信したジョブを原稿スキャン待ちファックス送信ジョブとして保存し、操作部２２０からユーザのログイン操作があるまで待機する。
【００１６】
Ｓ６０９でユーザのログイン操作を受け付けると、ＭＦＰ１０３は、Ｓ６１０で当該ログインユーザと認証情報が一致する原稿スキャン待ちファックス送信ジョブがあるか否かを判定する。ここで、認証情報が一致する原稿スキャン待ちファックス送信ジョブがある場合、Ｓ６１１でＭＦＰ１０３は、操作部２２０の表示部に当該原稿スキャン待ちファックス送信ジョブに係るスキャン設定画面を表示し、ユーザの操作があるまで待機する。なお、Ｓ６１１における処理は、設定画面表示処理の一例である。Ｓ６１２でユーザによるスキャン実行指示があると、Ｓ６１３でＭＦＰ１０３は、スキャナ２２２を用いた原稿のスキャン処理を行う。スキャン処理は、図５の設定欄５０３に設定された内容に従うが、Ｓ６１１で表示するスキャン設定画面で設定内容が変更された場合は変更後の設定に従うものとする。Ｓ６１４でＭＦＰ１０３は、Ｓ６１３で実行したスキャンによって得られた画像データをファックス送信する。このファックス送信の宛先は、図５の設定欄５０２に設定された電話番号である。なお、Ｓ６１３及びＳ６１４における処理は、スキャン設定画面を介して受け付けた指示に応じてジョブを処理する実行処理の一例である。
Ｓ６１０において認証情報が一致する原稿スキャン待ちファックス送信ジョブが無い場合、Ｓ６１５でＭＦＰ１０３は、操作部４２０の表示部にＭＦＰ１０３のデフォルトの待機画面（例えばコピー機能画面）を表示する。なお、Ｓ６１５における処理は、待機画面表示処理の一例である。
【００１７】
図７は、タブレット型端末１０１からＭＦＰ１０３に対してファックス送信の実行が指示される前に、既にＭＦＰ１０３にユーザがログインしている場合の処理の一例を示すシーケンス図である。即ち、タブレット型端末１０１からの原稿読取送信ジョブの受信前にＭＦＰ１０３にユーザがログインする場合の処理について説明する。ＭＦＰ１０３は、Ｓ７０１でユーザのログイン操作を受け付けると、Ｓ７０２で操作部２２０の表示部にＭＦＰ１０３のデフォルトの待機画面を表示する。Ｓ７０３乃至Ｓ７０９ではタブレット型端末１０１からＭＦＰ１０３に対してスキャンコマンドを含むファックス送信の指示を行うが、図６のＳ６０１乃至Ｓ６０７で説明したシーケンスと同様であるため説明は省略する。
Ｓ７１０では、ＭＦＰ１０３が、ＭＦＰ１０３のログインユーザの認証情報と前記指示されたファックス送信ジョブの認証情報とが一致するか否かを判定する。ここで、認証情報が一致する場合、Ｓ７１１でＭＦＰ１０３は、スキャナ２２２が使用可能になるのを待って、操作部２２０の表示部に前記ファックス送信ジョブに係るスキャン設定画面を表示し、ユーザの操作があるまで待機する。Ｓ７１２でユーザによるスキャン実行指示があると、Ｓ７１３乃至Ｓ７１４でＭＦＰ１０３は、原稿のスキャン及びファックス送信を実行するが、図６のＳ６１３乃至Ｓ６１４と同様の動作となるため説明は省略する。
【００１８】
Ｓ７１０で認証情報が一致しなかった場合、Ｓ７１５でＭＦＰ１０３は、Ｓ７０３乃至Ｓ７０９で受信したジョブを原稿スキャン待ちファックス送信ジョブとして保存する。なお、Ｓ７１５における処理は、Ｓ７０３乃至Ｓ７０９で受信したジョブを実行待ち状態として保持する保持処理の一例である。
以上のようにして、タブレット型端末１０１からスキャンコマンドを含むファックス送信ジョブが指示されると、当該ファックス送信ジョブの認証情報とＭＦＰ１０３のログインユーザの認証情報とが一致する場合に、ＭＦＰ１０３の操作部２２０にスキャン設定画面が表示され、ユーザのスキャン実行指示に従って、ＭＦＰ１０３で原稿をスキャンし、得られた画像データをファックス送信する処理が行われる。以下、ＭＦＰ１０３で原稿をスキャンし、得られた画像データをファックス送信する処理を第１の送信処理と称する。第１の送信処理では、ＭＦＰ１０３によるスキャンで得られた画像データをファックス送信する。これに対し、タブレット型端末１０１側で用意した画像データをＭＦＰ１０３からファックス送信する第２の送信処理を次に説明する。
【００１９】
図８は、タブレット型端末１０１に表示されるデータ管理アプリケーションの操作画面の一例を示す図である。タブレット型端末１０１には、ネットワーク上からダウンロードした画像データやタブレット型端末１０１に備えられたカメラ機能を用いて撮影した画像データが記憶されている。これらの画像データは、タブレット型端末１０１にインストールされたデータ管理アプリケーションを用いて順次切り替えて表示することが可能であり、図８の操作画面は記憶されている画像データの一つが表示された様子を示している。
図８の操作画面において、ユーザが操作キー８０１を押下すると、現在表示されている画像データに対して実行する機能を選択する画面が表示される。この画面には、メール送信アプリケーションや印刷アプリケーション等の他に、上述したファックス送信アプリケーションが選択候補として表示される。ユーザがファックス送信アプリケーションを選択すると、図９の操作画面に切り替わる。
図９は、タブレット型端末１０１に表示されるファックス送信アプリケーションの操作画面の一例を示す図である。設定欄９０１、９０２、９０３は、それぞれ図５で説明した設定欄５０１、５０２、５０４と同様である。
【００２０】
図１０は、第２の送信処理を実行する場合の処理の一例を示すシーケンス図である。Ｓ１００１では、タブレット型端末１０１が、図８の操作画面を介してユーザからの画像選択を受け付ける。続くＳ１００２では、タブレット型端末１０１が、図９の操作画面を介してユーザからの設定を受け付ける。Ｓ１００３では、タブレット型端末１０１が、ＭＦＰ１０３にジョブ生成のためのコマンドを送信する。このコマンドを受けたＭＦＰ１０３は、Ｓ１００４でＯＫをタブレット型端末１０１に応答する。
Ｓ１００５では、タブレット型端末１０１が、ＭＦＰ１０３に画像コマンドを送信する。画像コマンドには、ＭＦＰ１０３からファックス送信すべき画像データが含まれる。この画像データは、図８の操作画面に表示されていたものである。画像コマンドを受けたＭＦＰ１０３は、Ｓ１００６でＯＫをタブレット型端末１０１に応答する。Ｓ１００７では、タブレット型端末１０１が、ＭＦＰ１０３にジョブ終了のためのコマンドを送信する。このコマンドを受けたＭＦＰ１０３は、Ｓ１００８でＯＫをタブレット型端末１０１に応答する。Ｓ１００９では、ＭＦＰ１０３が、タブレット型端末１０１から受信した画像データをファックス送信する。このファックス送信の宛先は、設定欄９０２に設定された電話番号である。
以上のようにして、タブレット型端末１０１で設定された内容に従って、タブレット型端末１０１からＭＦＰ１０３に送信した画像データを、ＭＦＰ１０３からファックス送信する処理（第２の送信処理）が行われる。第２の送信処理では、ＭＦＰ１０３側でのスキャン処理が実行されない。このため、第１の送信処理とは異なり、ユーザによるＭＦＰ１０３の操作を待つ必要はなく、ＭＦＰ１０３に対するユーザログインの有無に関わらずファックス送信処理が実行される。
【００２１】
図１１及び図１２は、ＭＦＰ１０３の処理の一例を示すフローチャートである。図１１及び図１２のフローチャートに示す各動作（各ステップの処理）は、制御部２１０のＣＰＵ２１１がＲＯＭ２１２に記憶された制御プログラムを実行することにより実現される。
図１１は、ＭＦＰ１０３がタブレット型端末１０１からファックス送信ジョブを受信した際の処理の一例を示すフローチャートである。Ｊｏｂ  Ｃｏｎｔｒｏｌｌｅｒ部３０２は、Ｓ１１０１でファックス送信ジョブを受信すると、Ｓ１１０２で当該ファックス送信ジョブにおける指示内容を判定する。より具体的に説明すると、Ｊｏｂ  Ｃｏｎｔｒｏｌｌｅｒ部３０２は、画像コマンドを受信している場合は、タブレット型端末１０１から送信された画像データをファックス送信すること（第２の送信処理）が指示されたと判定し、Ｓ１１０９へ進む。そして、ＦＡＸ部３０５が、タブレット型端末１０１から送信された画像データをファックス送信する。
一方、Ｊｏｂ  Ｃｏｎｔｒｏｌｌｅｒ部３０２は、スキャンコマンドを受信している場合は、ＭＦＰ１０３によるスキャンで得られた画像データをファックス送信すること（第１の送信処理）が指示されたと判定し、Ｓ１１０３に進む。
【００２２】
Ｓ１１０３では、Ａｕｔｈｅｎｔｉｃａｔｉｏｎ部３０９が、ＭＦＰ１０３にユーザがログインしているか否かを判定する。ここで、ＭＦＰ１０３がユーザログイン状態である場合は、Ｓ１１０４へ進み、そうでない場合は、Ｓ１１１０へ進む。Ｓ１１０４では、Ｊｏｂ  Ｃｏｎｔｒｏｌｌｅｒ部３０２が、ＭＦＰ１０３のログインユーザの認証情報と当該ファックス送信ジョブの認証情報とが一致するか否かを判定する。ここで、認証情報が一致する場合は、Ｓ１１０５へ進み、そうでない場合は、Ｓ１１１０へ進む。Ｓ１１０５では、スキャナ２２２が使用可能になるまで待機する。Ｓ１１１０では、Ｊｏｂ  Ｃｏｎｔｒｏｌｌｅｒ部３０２が、当該ファックス送信ジョブをスキャン待ちファックス送信ジョブとして保存する。
Ｓ１１０５でスキャナ２２２が使用可能になると、ＵＩ部３０１は、Ｓ１１０６で操作部２２０の表示部に当該ファックス送信ジョブに係るスキャン設定画面を表示し、Ｓ１１０７でユーザの操作があるまで待機する。ここで、ユーザによるスキャン実行指示があると、Ｓｃａｎ部３０６は、Ｓ１１０８でスキャナ２２２を用いた原稿のスキャン処理を行う。Ｓ１１０９では、Ｆａｘ部３０５が、Ｓ１１０８で実行されたスキャンによって得られた画像データをファックス送信する。
【００２３】
図１２は、ＭＦＰ１０３にユーザがログインした際の処理の一例を示すフローチャートである。Ｓ１２０１では、ＵＩ部３０１が、操作部２２０を介してユーザのログイン操作を受け付ける。次にＳ１２０２では、Ｊｏｂ  Ｃｏｎｔｒｏｌｌｅｒ部３０２が、スキャン待ちファックス送信ジョブの有無を判定し、スキャン待ちファックス送信ジョブがあると判定した場合は、Ｓ１２０３へ進み、そうでない場合はＳ１２０８へ進む。Ｓ１２０３では、Ｊｏｂ  Ｃｏｎｔｒｏｌｌｅｒ部３０２が、スキャン待ちファックス送信ジョブの内、ＭＦＰ１０３のログインユーザと認証情報が一致するものがあるか否かを判定する。ここで、認証情報が一致するスキャン待ちファックス送信ジョブがある場合は、Ｓ１２０４へ進み、そうでない場合は、Ｓ１２０８へ進む。Ｓ１２０８では、ＵＩ部３０１が、ＭＦＰ１０３のデフォルトの待機画面を表示する。
Ｓ１２０４では、ＵＩ部３０１が、ＭＦＰ１０３のログインユーザと認証情報が一致するスキャン待ちファックス送信ジョブに係るスキャン設定画面を操作部２２０の表示部に表示し、Ｓ１２０５でユーザの操作があるまで待機する。ここで、ユーザによるスキャン実行指示があると、Ｓｃａｎ部３０６は、Ｓ１２０６でスキャナ２２２を用いた原稿のスキャン処理を行う。Ｓ１２０７では、Ｆａｘ部３０５が、Ｓ１２０６で実行されたスキャンによって得られた画像データをファックス送信する。
【００２４】
図１３は、ＭＦＰ１０３の操作部２２０に表示される画面の一例を示す図である。同図において、画面１３０１は、ＭＦＰ１０３のログイン画面である。ユーザは、ＭＦＰ１０３を使用する際に、画面１３０１よりユーザＩＤ及びパスワードを入力することによるログイン操作（ユーザ認証）を行う。ここで、ユーザによるログイン操作が行われる前にスキャンコマンドを含むファックス送信ジョブをＭＦＰ１０３が受信した場合、当該ジョブはスキャン待ちファックス送信ジョブとして保存され、表示画面は画面１３０１から遷移しない。画面１３０１でユーザによるログイン操作が行われると、表示画面は、画面１３０２又は画面１３０３へ遷移する。画面１３０２は、ＭＦＰ１０３のログインユーザと認証情報が一致するスキャン待ちファックス送信ジョブがない場合に表示されるＭＦＰ１０３のデフォルト待機画面である。
画面１３０３は、ＭＦＰ１０３のログインユーザと認証情報が一致するスキャン待ちファックス送信ジョブがある場合に表示されるスキャン設定画面であり、当該ファックス送信ジョブに係るスキャン設定の設定変更を行うことができる。画面１３０３が表示されている状態で、ユーザによりスキャン実行指示（例えば、操作部２２０のスタートキー押下）があると、ＭＦＰ１０３は、スキャナ２２２を用いて原稿をスキャンし、得られた画像データをファックス送信する。なお、ユーザがＭＦＰ１０３にログインした後で、スキャンコマンドを含むファックス送信ジョブをＭＦＰ１０３が受信した場合、当該ジョブの認証情報がＭＦＰ１０３のログインユーザの認証情報と一致していれば、表示画面は画面１３０２から画面１３０３へ遷移し、同様にユーザによるスキャン実行指示が行える。
【００２５】
以上説明した通り、実施形態１においては、ＭＦＰ１０３によるスキャンで得られた画像データをファックス送信すること（第１の送信処理）がタブレット型端末１０１から指示され、かつ、ＭＦＰ１０３のログインユーザの認証情報と当該ファックス送信ジョブの認証情報とが一致する場合に限り、操作部２２０の表示部に当該ファックス送信ジョブに係るスキャン設定画面が表示され、ユーザの指示により原稿のスキャン及びスキャンにより得られた画像データのファックス送信を実行する。
これにより、複数のユーザが画像処理装置を共有で使用する場合であっても、他のユーザによる画像処理システムの使用状況によらず確実に原稿読取送信ジョブを実行でき、かつ、ほぼ同時の複数のジョブ投入に起因する原稿の誤送信を防止できる。
【００２６】
＜実施形態２＞
次に、本発明の実施形態２について説明する。上述した実施形態１では、ＭＦＰ１０３においてユーザ認証が有効になっている場合の実施形態について説明した。実施形態２では、ＭＦＰ１０３においてユーザ認証が無効になっている、もしくは、ＭＦＰ１０３がユーザ認証機能を有していない場合の実施形態について説明する。
図１４は、実施形態２のタブレット型端末１０１とＭＦＰ１０３とにおける処理の一例を示すシーケンス図である。Ｓ１４０１乃至Ｓ１４０７ではタブレット型端末１０１からＭＦＰ１０３に対してスキャンコマンドを含むファックス送信の指示を行うが、上述した実施形態１の図６のＳ６０１乃至Ｓ６０７で説明したシーケンスと同様であるため説明は省略する。
Ｓ１４０８でＭＦＰ１０３は、スキャナ２２２が使用可能になるのを待って、操作部２２０の表示部に当該ファックス送信ジョブに係る原稿のスキャン処理を直ちに実行するか否かをユーザが選択するスキャン確認画面（選択画面）を表示する。そして、ユーザの操作があるまで待機する。なお、Ｓ１４０８における処理は、選択画面表示処理の一例である。ここで、Ｓ１４０９でユーザによる指示があると、スキャン処理を直ちに実行する旨が指示された場合、Ｓ１４１０でＭＦＰ１０３は、操作部２２０の表示部に前記ファックス送信ジョブに係るスキャン設定画面を表示し、ユーザの操作があるまで待機する。
【００２７】
Ｓ１４１１でユーザによるスキャン実行指示があると、ＭＦＰ１０３は、Ｓ１４１２でスキャナ２２２を用いた原稿のスキャン処理を行う。この処理は、図５の設定欄５０３に設定された内容に従うが、Ｓ１４１０で表示するスキャン設定画面で設定内容が変更された場合は変更後の設定に従うものとする。Ｓ１４１３でＭＦＰ１０３は、Ｓ１４１２で実行したスキャンによって得られた画像データをファックス送信する。このファックス送信の宛先は、図５の設定欄５０２に設定された電話番号である。Ｓ１４０９において、ユーザによりスキャン処理を直ちに実行しない（後で処理する）旨が指示された場合、Ｓ１４１４でＭＦＰ１０３は、Ｓ１４０１乃至Ｓ１４０７で受信したジョブを原稿スキャン待ちファックス送信ジョブとして保存する。
以上のようにして、タブレット型端末１０１からユーザ認証機能が導入されていないＭＦＰ１０３に対してスキャンコマンドを含むファックス送信ジョブが指示されると、ＭＦＰ１０３の操作部２２０に当該ファックス送信ジョブに係る原稿のスキャン処理を直ちに実行するか否かを選択するスキャン確認画面が表示される。そして、ユーザが直ちにスキャン処理を実行する旨を選択指示した場合に限って、ＭＦＰ１０３で原稿をスキャンし、得られた画像データをファックス送信する処理が行われる。
実施形態２においても、タブレット型端末１０１側で用意した画像データをＭＦＰ１０３からファックス送信する第２の送信処理の実行が可能である。実施形態１で説明した通り、第２の送信処理では、ユーザによるＭＦＰ１０３の操作を必要とせずにファックス送信処理が実行され、タブレット型端末１０１とＭＦＰ１０３とにおける処理のシーケンスは実施形態１と同様となるため説明は省略する。
【００２８】
図１５は、実施形態２におけるＭＦＰ１０３の処理の一例を示すフローチャートである。図１５のフローチャートに示す各動作（各ステップの処理）は、制御部２１０のＣＰＵ２１１がＲＯＭ２１２に記憶された制御プログラムを実行することにより実現される。
Ｊｏｂ  Ｃｏｎｔｒｏｌｌｅｒ部３０２は、Ｓ１５０１でファックス送信ジョブを受信すると、Ｓ１５０２で当該ファックス送信ジョブにおける指示内容を判定する。より具体的に説明すると、Ｊｏｂ  Ｃｏｎｔｒｏｌｌｅｒ部３０２は、画像コマンドを受信している場合は、タブレット型端末１０１から送信された画像データをファックス送信すること（第２の送信処理）が指示されたと判定し、Ｓ１５１０へ進む。そして、ＦＡＸ部３０５が、タブレット型端末１０１から送信された画像データをファックス送信する。一方、Ｊｏｂ  Ｃｏｎｔｒｏｌｌｅｒ部３０２は、スキャンコマンドを受信している場合は、ＭＦＰ１０３によるスキャンで得られた画像データをファックス送信すること（第１の送信処理）が指示されたと判定し、Ｓ１５０３に進む。
Ｓ１５０３では、スキャナ２２２が使用可能になるまで待機する。そして、ＵＩ部３０１は、スキャナ２２２が使用可能になるとＳ１５０４でＭＦＰ１０３の操作部２２０に当該ファックス送信ジョブに係る原稿のスキャン処理を直ちに実行するか否かを選択するスキャン確認画面を表示し、Ｓ１５０５でユーザの操作があるまで待機する。ここで、ユーザによる処理選択があると、Ｓ１５０６で前記選択指示内容を確認し、スキャン処理を直ちに実行する旨が指示された場合、Ｓ１５０７へ進み、スキャン処理を直ちに実行しない（後で処理する）旨が指示された場合、Ｓ１５１１へ進む。
【００２９】
Ｓ１５０７では、ＵＩ部３０１が、操作部２２０の表示部に当該ファックス送信ジョブに係るスキャン設定画面を表示し、Ｓ１５０８でユーザの操作があるまで待機する。ここで、ユーザによるスキャン実行指示があると、Ｓｃａｎ部３０６は、Ｓ１５０９でスキャナ２２２を用いた原稿のスキャン処理を行う。Ｓ１５１０では、Ｆａｘ部３０５が、Ｓ１５０９で実行されたスキャンによって得られた画像データをファックス送信する。
Ｓ１５１１では、Ｊｏｂ  Ｃｏｎｔｒｏｌｌｅｒ部３０２が、当該ファックス送信ジョブをスキャン待ちファックス送信ジョブとして保存する。Ｓ１５１２では、ＵＩ部３０１が、当該ジョブに係るスキャン確認画面の再表示タイマーを開始する。以降、ＵＩ部３０１は、この再表示タイマーのタイムアップを契機に当該ジョブに係るスキャン確認画面を再表示する。即ち、スキャン確認画面を介してスキャン処理を直ちに実行しない（後で処理する）旨が指示されてからの経過時間を再表示タイマーを用いて計測し、所定時間経過した場合に、再度、スキャン確認画面を表示する。
【００３０】
図１６は、図１５のＳ１５１１で保存したスキャン待ちファックス送信ジョブに係る処理の一例を示すフローチャートである。図１６のフローチャートに示す各動作（各ステップの処理）は、制御部２１０のＣＰＵ２１１がＲＯＭ２１２に記憶された制御プログラムを実行することにより実現される。
まず、Ｓ１６０１では、Ｊｏｂ  Ｃｏｎｔｒｏｌｌｅｒ部３０２が、スキャン待ちファックス送信ジョブとして保存されたジョブがあるか否かを判定し、スキャン待ちファックス送信ジョブがある場合は、Ｓ１６０２へ進み、そうでない場合は、Ｓ１６０１へ戻る。Ｓ１６０２では、Ｊｏｂ  Ｃｏｎｔｒｏｌｌｅｒ部３０２が、当該スキャン待ちファックス送信ジョブに係るスキャン確認画面の再表示タイマーがタイムアップ（所定時間経過）しているか否かを判定する。ここで、再表示タイマーがタイムアップしていた場合は、Ｓ１６０３へ進み、そうでない場合は、Ｓ１６０１へ戻る。
【００３１】
Ｓ１６０３では、スキャナ２２２が使用可能になるまで待機する。そして、ＵＩ部３０１は、スキャナ２２２が使用可能になるとＳ１６０４でＭＦＰ１０３の操作部２２０に当該ジョブに係る原稿のスキャン処理を直ちに実行するか否かを選択するスキャン確認画面を再表示し、Ｓ１６０５でユーザの操作があるまで待機する。ここで、ユーザによる処理選択があると、Ｓ１６０６で前記選択指示内容を確認し、スキャン処理を直ちに実行する旨が指示された場合、Ｓ１６０７へ進み、スキャン処理を直ちに実行しない（後で処理する）旨が指示された場合、Ｓ１６１１へ進む。
Ｓ１６０７乃至Ｓ１６１０では、ユーザの操作に従い当該ジョブに係る原稿のスキャン処理及びファックス送信処理が実行されるが、図１５のフローチャートを用いて説明したＳ１５０７乃至Ｓ１５１０と同様の処理となるため説明は省略する。
Ｓ１６１１では、ＵＩ部３０１が、再び当該ジョブに係るスキャン確認画面の再表示タイマーを開始し、Ｓ１６０１へ戻る。
【００３２】
図１７は、実施形態２におけるＭＦＰ１０３の操作部２２０に表示される画面の一例を示す図である。同図において、画面１７０１は、ＭＦＰ１０３のデフォルト待機画面である。画面１７０１が表示されている状態でスキャンコマンドを含むファックス送信ジョブをＭＦＰ１０３が受信した場合、表示画面は画面１７０２へ遷移する。画面１７０２は、当該ファックス送信ジョブに係る原稿のスキャン処理を直ちに実行するか否かを選択するスキャン確認画面である。画面１７０２でユーザによりスキャン処理を直ちに実行する旨が指示された場合、表示画面は画面１７０３へ遷移し、スキャン処理を直ちに実行しない（後で処理する）旨が指示された場合、表示画面は画面１７０４へ遷移する。
ここで、画面１７０３はスキャン設定画面であり、当該ファックス送信ジョブに係るスキャン設定の設定変更を行うことができる。画面１７０３が表示されている状態で、ユーザによりスキャン実行指示（例えば、操作部２２０のスタートキー押下）があると、ＭＦＰ１０３は、スキャナ２２２を用いて原稿をスキャンし、得られた画像データをファックス送信する。画面１７０４は画面１７０２を表示する直前に表示していた画面である。なお、画面１７０２でユーザによりスキャン処理を直ちに実行しない（後で処理する）旨が指示され、表示画面が画面１７０４へ遷移した場合、図１６のフローチャートを用いて説明した通り、再表示タイマーのタイムアップを契機に表示画面は画面１７０２へ再び遷移し、同様の処理を繰り返す。
【００３３】
以上説明した通り、実施形態２においては、ＭＦＰ１０３によるスキャンで得られた画像データをファックス送信すること（第１の送信処理）がタブレット型端末１０１から指示された場合、当該ファックス送信ジョブに係る原稿のスキャン処理を直ちに実行するか否かを選択するスキャン確認画面（選択画面）を表示する。そして、ユーザにより直ちに実行する旨が指示された場合に限り、操作部２２０の表示部に当該ファックス送信ジョブに係るスキャン設定画面を表示し、ユーザの指示により原稿のスキャン及びスキャンにより得られた画像データのファックス送信を実行する。これらの構成により、ＭＦＰ１０３においてユーザ認証が有効になっていない場合であっても、他のユーザによるＭＦＰ１０３の使用状況によらず確実に原稿読取送信ジョブを実行でき、ユーザの使い勝手が向上する。
【００３４】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００３５】
以上、上述した各実施形態によれば、複数のユーザが画像処理装置を共有で使用する場合であっても、他のユーザによる画像処理装置の使用状況によらず確実に原稿読取送信ジョブを実行する仕組みを提供することができる。
【００３６】
以上、本発明の好ましい形態について詳述したが、本実施形態は係る特定の実施形態に限定されるものではなく、特許請求の範囲に記載された本発明の要旨の範囲内において、種々の変形・変更が可能である。
【符号の説明】
【００３７】
１０１  タブレット型端末、１０２  無線ネットワークルーター、１０３  ＭＦＰ、２１０  制御部、２１１  ＣＰＵ、２１２  ＲＯＭ、２１３  ＲＡＭ、２１４  ＨＤＤ
【図１】
2019115081.tif 000003
【図２】
2019115081.tif 000004
【図３】
2019115081.tif 000005
【図４】
2019115081.tif 000006
【図５】
2019115081.tif 000007
【図６】
2019115081.tif 000008
【図７】
2019115081.tif 000009
【図８】
2019115081.tif 000010
【図９】
2019115081.tif 000011
【図１０】
2019115081.tif 000012
【図１１】
2019115081.tif 000013
【図１２】
2019115081.tif 000014
【図１３】
2019115081.tif 000015
【図１４】
2019115081.tif 000016
【図１５】
2019115081.tif 000017
【図１６】
2019115081.tif 000018
【図１７】
2019115081.tif 000019
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
通信端末と通信可能であり、表示部を有する画像処理装置であって、
原稿を読み取り、画像データを生成する読取手段と、
前記画像データを送信する送信手段と、
前記画像処理装置のユーザをログインさせるログイン手段と、
前記通信端末を使用するユーザを示すユーザ情報と、前記送信手段が前記画像データを送信する際に使用する送信宛先を示す情報と、を前記通信端末から受信する受信手段と、
前記受信手段が前記ユーザ情報と前記送信宛先を示す情報とを受信し、前記受信手段が受信した前記ユーザ情報に示されるユーザが前記画像処理装置にログインしていない場合、前記表示部に前記読取手段への読み取り指示を受け付ける画面を表示せず、前記受信手段が前記ユーザ情報と前記送信宛先を示す情報とを受信し、前記受信手段が受信した前記ユーザ情報に示されるユーザが前記画像処理装置にログインしている場合、前記受信手段が前記ユーザ情報と前記送信宛先を示す情報とを受信し、ユーザの操作を受け付けることなく前記表示部に前記読取手段への読み取り指示を受け付ける画面を表示する表示手段と、
前記読取手段への読み取り指示を受け付ける画面が表示されているときに読み取り指示を受け付ける受付手段と、
を有し、
前記読取手段は、前記受付手段が前記読み取り指示を受け付けることに従って原稿を読み取り、画像データを生成し、
前記送信手段は、前記生成された画像データを前記送信宛先に送信することを特徴とする画像処理装置。
【請求項２】
前記受信手段が前記ユーザ情報と前記送信宛先を示す情報とを受信し、前記受信手段が受信した前記ユーザ情報に示されるユーザが前記画像処理装置にログインしていない場合、前記送信宛先を示す情報を含む情報を待機中のジョブとして記憶する記憶手段をさらに有することを特徴とする請求項１に記載の画像処理装置。
【請求項３】
前記記憶手段は、更に、前記受信手段が前記送信宛先を受信したタイミングで、前記画像処理装置にユーザがログインしていない状態であることに従って、前記送信宛先を示す情報を含む情報を待機中のジョブとして記憶することを特徴とする請求項２に記載の画像処理装置。
【請求項４】
前記通信端末から受信する送信宛先は電話番号であり、前記送信手段は、前記電話番号で特定されるファクシミリ装置へのファクシミリデータを送信することを特徴とする請求項１乃至３の何れか１項に記載の画像処理装置。
【請求項５】
前記読み取り指示を受け付ける画面は、さらに読み取り設定を受け付け可能な画面であることを特徴とする請求項１乃至４の何れか１項に記載の画像処理装置。
【請求項６】
前記受信手段は、さらに、前記読取手段が読み取る原稿のサイズに関する設定と、読み取りを行うときの解像度に関する設定とを少なくとも含む読み取り設定を前記通信端末から受信することを特徴とする請求項１乃至５の何れか１項に記載の画像処理装置。
【請求項７】
前記受信手段は、前記通信端末からＨＴＴＰに準拠する通信方式で情報を受信することを特徴とする請求項１乃至６の何れか１項に記載の画像処理装置。
【請求項８】
通信端末と通信可能であり、表示部を有する画像処理装置であって、
原稿を読み取り、画像データを生成する読取手段と、
前記画像データを送信する送信手段と、
前記画像処理装置のユーザをログインさせるログイン手段と、
前記通信端末を使用するユーザを示すユーザ情報と、前記送信手段が前記画像データを送信する際に使用する送信宛先を示す情報と、を前記通信端末から受信する受信手段と、
前記受信手段が前記ユーザ情報と前記送信宛先を示す情報とを受信し、前記受信手段が受信した前記ユーザ情報に示されるユーザが前記画像処理装置にログインしていない場合、前記表示部にスキャン設定画面を表示せず、前記受信手段が前記ユーザ情報と前記送信宛先を示す情報とを受信し、前記受信手段が受信した前記ユーザ情報に示されるユーザが前記画像処理装置にログインしている場合、前記受信手段が前記ユーザ情報と前記送信宛先を示す情報とを受信し、ユーザの操作を受け付けることなく前記表示部に前記スキャン設定画面を表示する表示手段と、
前記スキャン設定画面が表示されているときに読み取り指示を受け付ける受付手段と、
を有し、
前記読取手段は、前記受付手段が前記読み取り指示を受け付けることに従って原稿を読み取り、画像データを生成し、
前記送信手段は、前記生成された画像データを前記送信宛先に送信することを特徴とする画像処理装置。
【請求項９】
前記受信手段が前記ユーザ情報と前記送信宛先を示す情報とを受信し、前記受信手段が受信した前記ユーザ情報を示すユーザが前記画像処理装置にログインしていない場合、
前記送信宛先を示す情報を含む情報を待機中のジョブとして記憶する記憶手段をさらに有することを特徴とする請求項８に記載の画像処理装置。
【請求項１０】
前記記憶手段は、更に、前記受信手段が前記送信宛先を受信したタイミングで、前記画像処理装置にユーザがログインしていない状態であることに従って、前記送信宛先を示す情報を含む情報を待機中のジョブとして記憶することを特徴とする請求項９に記載の画像処理装置。
【請求項１１】
前記通信端末から受信する送信宛先は、電話番号であり、前記送信手段は、前記電話番号で特定されるファクシミリ装置へのファクシミリデータを送信することを特徴とする請求項８乃至１０の何れか１項に記載の画像処理装置。
【請求項１２】
前記スキャン設定画面は、読み取り設定を受け付け可能な画面であることを特徴とする請求項８乃至１１の何れか１項に記載の画像処理装置。
【請求項１３】
前記受信手段は、さらに、前記読取手段が読み取る原稿のサイズに関する設定と、読み取りを行うときの解像度に関する設定とを少なくとも含む読み取り設定を前記通信端末から受信することを特徴とする請求項８乃至１２の何れか１項に記載の画像処理装置。
【請求項１４】
前記受信手段は、前記通信端末からＨＴＴＰに準拠する通信方式で情報を受信することを特徴とする請求項８乃至１３の何れか１項に記載の画像処理装置。
【請求項１５】
通信端末と通信可能であり、表示部を有する画像処理装置であって、
原稿を読み取り、画像データを生成する読取手段と、
前記画像データを送信する送信手段と、
前記画像処理装置のユーザをログインさせるログイン手段と、
前記通信端末を使用するユーザを示すユーザ情報と、前記送信手段が前記画像データを送信する際に使用する送信宛先を示す情報と、を前記通信端末から受信する受信手段と、
前記受信手段が前記ユーザ情報と前記送信宛先を示す情報とを受信し、前記画像処理装置にログイン中のユーザと、前記受信手段が受信する前記ユーザ情報に示されるユーザとが一致しない場合、前記表示部に前記読取手段への読み取り指示を受け付ける画面を表示せず、前記受信手段が前記ユーザ情報と前記送信宛先を示す情報とを受信し、前記画像処理装置にログイン中のユーザと、前記受信手段が受信する前記ユーザ情報に示されるユーザとが一致する場合、前記受信手段が前記ユーザ情報と前記送信宛先を示す情報とを受信し、ユーザの操作を受け付けることなく前記表示部に前記読取手段への読み取り指示を受け付ける画面を表示する表示手段と、
前記読取手段への読み取り指示を受け付ける画面が表示されているときに読み取り指示を受け付ける受付手段と、
を有し、
前記読取手段は、前記受付手段が前記読み取り指示を受け付けることに従って原稿を読み取り、画像データを生成し、
前記送信手段は、前記生成された画像データを前記送信宛先に送信することを特徴とする画像処理装置。
【請求項１６】
前記画像処理装置にログイン中のユーザと、前記受信手段が受信する前記ユーザ情報に示されるユーザとが一致しない場合、前記送信宛先を示す情報を含む情報を待機中のジョブとして記憶する記憶手段をさらに有することを特徴とする請求項１５に記載の画像処理装置。
【請求項１７】
前記記憶手段は、更に、前記受信手段が前記送信宛先を受信したタイミングで、前記画像処理装置にユーザがログインしていない状態であることに従って、前記送信宛先を示す情報を含む情報を待機中のジョブとして記憶することを特徴とする請求項１６に記載の画像処理装置。
【請求項１８】
前記通信端末から受信する送信宛先は、電話番号であり、前記送信手段は、前記電話番号で特定されるファクシミリ装置へのファクシミリデータを送信することを特徴とする請求項１５乃至１７の何れか１項に記載の画像処理装置。
【請求項１９】
前記読み取り指示を受け付ける画面は、さらに読み取り設定を受け付け可能な画面であることを特徴とする請求項１５乃至１８の何れか１項に記載の画像処理装置。
【請求項２０】
前記受信手段は、さらに、前記読取手段が読み取る原稿のサイズに関する設定と、読み取りを行うときの解像度に関する設定とを少なくとも含む読み取り設定を前記通信端末から受信することを特徴とする請求項１５乃至１９の何れか１項に記載の画像処理装置。
【請求項２１】
前記受信手段は、前記通信端末からＨＴＴＰに準拠する通信方式で情報を受信することを特徴とする請求項１５乃至２０の何れか１項に記載の画像処理装置。
【請求項２２】
通信端末と通信可能であり、表示部を有する画像処理装置であって、
原稿を読み取り、画像データを生成する読取手段と、
前記画像データを送信する送信手段と、
前記画像処理装置のユーザをログインさせるログイン手段と、
前記通信端末を使用するユーザを示すユーザ情報と、前記送信手段が前記画像データを送信する際に使用する送信宛先を示す情報と、を前記通信端末から受信する受信手段と、
前記受信手段が前記ユーザ情報と前記送信宛先を示す情報とを受信し、前記画像処理装置にログイン中のユーザと、前記受信手段が受信する前記ユーザ情報に示されるユーザとが一致しない場合、前記表示部にスキャン設定画面を表示せず、前記受信手段が前記ユーザ情報と前記送信宛先を示す情報とを受信し、前記画像処理装置にログイン中のユーザと、前記受信手段が受信する前記ユーザ情報に示されるユーザとが一致する場合、前記受信手段が前記ユーザ情報と前記送信宛先を示す情報とを受信し、ユーザの操作を受け付けることなく前記表示部に前記スキャン設定画面を表示する表示手段と、
前記スキャン設定画面が表示されているときに読み取り指示を受け付ける受付手段と、を有し、
前記読取手段は、前記受付手段が前記読み取り指示を受け付けることに従って原稿を読み取り、画像データを生成し、
前記送信手段は、前記生成された画像データを前記送信宛先に送信することを特徴とする画像処理装置。
【請求項２３】
前記画像処理装置にログイン中のユーザと、前記受信手段が受信する前記ユーザ情報に示されるユーザとが一致しない場合、前記送信宛先を示す情報を含む情報を待機中のジョブとして記憶する記憶手段をさらに有することを特徴とする請求項２２に記載の画像処理装置。
【請求項２４】
前記記憶手段は、更に、前記受信手段が前記送信宛先を受信したタイミングで、前記画像処理装置にユーザがログインしていない状態であることに従って、前記送信宛先を示す情報を含む情報を待機中のジョブとして記憶することを特徴とする請求項２３に記載の画像処理装置。
【請求項２５】
前記通信端末から受信する送信宛先は、電話番号であり、前記送信手段は、前記電話番号で特定されるファクシミリ装置へのファクシミリデータを送信することを特徴とする請求項２２乃至２４の何れか１項に記載の画像処理装置。
【請求項２６】
前記スキャン設定画面は、さらに送信設定を受け付け可能な画面であることを特徴とする請求項２２乃至２５の何れか１項に記載の画像処理装置。
【請求項２７】
前記受信手段は、さらに、前記読取手段が読み取る原稿のサイズに関する設定と、読み取りを行うときの解像度に関する設定とを少なくとも含む読み取り設定を前記通信端末から受信することを特徴とする請求項２２乃至２６の何れか１項に記載の画像処理装置。
【請求項２８】
前記受信手段は、前記通信端末からＨＴＴＰに準拠する通信方式で情報を受信することを特徴とする請求項２２乃至２７の何れか１項に記載の画像処理装置。
【請求項２９】
通信端末と通信可能であり、表示部を有する画像処理装置が実行する画像処理方法であって、
原稿を読み取り、画像データを生成する読取工程と、
前記画像データを送信する送信工程と、
前記画像処理装置のユーザをログインさせるログイン工程と、
前記通信端末を使用するユーザを示すユーザ情報と、前記送信工程で前記画像データが送信される際に使用される送信宛先を示す情報と、を前記通信端末から受信する受信工程と、
前記受信工程で前記ユーザ情報と前記送信宛先を示す情報とを受信し、前記受信工程で受信した前記ユーザ情報に示されるユーザが前記画像処理装置にログインしていない場合、前記表示部に読み取り指示を受け付ける画面を表示せず、前記受信工程で前記ユーザ情報と前記送信宛先を示す情報とを受信し、前記受信工程で受信した前記ユーザ情報に示されるユーザが前記画像処理装置にログインしている場合、前記受信工程で前記ユーザ情報と前記送信宛先を示す情報とを受信し、ユーザの操作を受け付けることなく前記表示部に前記読み取り指示を受け付ける画面を表示する表示工程と、
前記読み取り指示を受け付ける画面が表示されているときに読み取り指示を受け付ける受付工程と、
を含み、
前記読取工程では、前記受付工程により前記読み取り指示を受け付けることに従って原稿を読み取り、画像データを生成し、
前記送信工程では、前記生成された画像データを前記送信宛先に送信することを特徴とする画像処理方法。
【請求項３０】
通信端末と通信可能であり、表示部を有する画像処理装置が実行する画像処理方法であって、
原稿を読み取り、画像データを生成する読取工程と、
前記画像データを送信する送信工程と、
前記画像処理装置のユーザをログインさせるログイン工程と、
前記通信端末を使用するユーザを示すユーザ情報と、前記送信工程で前記画像データが送信される際に使用される送信宛先を示す情報と、を前記通信端末から受信する受信工程と、
前記受信工程で前記ユーザ情報と前記送信宛先を示す情報とを受信し、前記受信工程で受信した前記ユーザ情報に示されるユーザが前記画像処理装置にログインしていない場合、前記表示部にスキャン設定画面を表示せず、前記受信工程で前記ユーザ情報と前記送信宛先を示す情報とを受信し、前記受信工程で受信した前記ユーザ情報に示されるユーザが前記画像処理装置にログインしている場合、前記受信工程で前記ユーザ情報と前記送信宛先を示す情報とを受信し、ユーザの操作を受け付けることなく前記表示部にスキャン設定画面を表示する表示工程と、
前記スキャン設定画面が表示されているときに読み取り指示を受け付ける受付工程と、を含み、
前記読取工程では、前記受付工程により読み取り指示が受け付けられたことに従って原稿を読み取り、画像データを生成し、
前記送信工程では、前記生成された画像データを前記送信宛先に送信することを特徴とする画像処理方法。
【請求項３１】
通信端末と通信可能であり、表示部を有する画像処理装置が実行する画像処理方法であって、
原稿を読み取り、画像データを生成する読取工程と、
前記画像データを送信する送信工程と、
前記画像処理装置のユーザをログインさせるログイン工程と、
前記通信端末を使用するユーザを示すユーザ情報と、前記送信工程で前記画像データが送信される際に使用される送信宛先を示す情報と、を前記通信端末から受信する受信工程と、
前記受信工程で前記ユーザ情報と前記送信宛先を示す情報とを受信し、前記画像処理装置にログイン中のユーザと、前記受信工程で受信する前記ユーザ情報に示されるユーザとが一致しない場合、前記表示部に読み取り指示を受け付ける画面を表示せず、前記受信工程で前記ユーザ情報と前記送信宛先を示す情報とを受信し、前記画像処理装置にログイン中のユーザと、前記受信工程で受信する前記ユーザ情報に示されるユーザとが一致する場合、前記受信工程で前記ユーザ情報と前記送信宛先を示す情報とを受信し、ユーザの操作を受け付けることなく前記表示部に前記読み取り指示を受け付ける画面を表示する表示工程と、
前記読み取り指示を受け付ける画面が表示されているときに読み取り指示を受け付ける受付工程と、
を含み、
前記読取工程では、前記受付工程により前記読み取り指示を受け付けることに従って原稿を読み取り、画像データを生成し、
前記送信工程では、前記生成された画像データを前記送信宛先に送信することを特徴とする画像処理方法。
【請求項３２】
通信端末と通信可能であり、表示部を有する画像処理装置が実行する画像処理方法であって、
原稿を読み取り、画像データを生成する読取工程と、
前記画像データを送信する送信工程と、
前記画像処理装置のユーザをログインさせるログイン工程と、
前記通信端末を使用するユーザを示すユーザ情報と、前記送信工程で前記画像データが送信される際に使用される送信宛先を示す情報と、を前記通信端末から受信する受信工程と、
前記受信工程で前記ユーザ情報と前記送信宛先を示す情報とを受信し、前記画像処理装置にログイン中のユーザと、前記受信工程で受信する前記ユーザ情報に示されるユーザとが一致しない場合、前記表示部にスキャン設定画面を表示せず、前記受信工程で前記ユーザ情報と前記送信宛先を示す情報とを受信し、前記画像処理装置にログイン中のユーザと、前記受信工程で受信する前記ユーザ情報に示されるユーザとが一致する場合、前記受信工程で前記ユーザ情報と前記送信宛先を示す情報とを受信し、ユーザの操作を受け付けることなく前記表示部に前記スキャン設定画面を表示する表示工程と、
前記スキャン設定画面が表示されているときに読み取り指示を受け付ける受付工程と、
を含み、
前記読取工程では、前記受付工程により前記読み取り指示を受け付けることに従って原
稿を読み取り、画像データを生成し、
前記送信工程では、前記生成された画像データを前記送信宛先に送信することを特徴と
する画像処理方法。
【請求項３３】
コンピュータに、請求項２９乃至３２の何れか１項に記載の画像処理方法の各工程を実行させるためのプログラム。
【手続補正２】
【補正対象書類名】明細書
【補正対象項目名】０００４
【補正方法】変更
【補正の内容】
【０００４】
しかしながら、特許文献１に記載の技術では、ファックス装置のスキャナ部が使用中である場合や、ファックス装置が他のクライアントコンピュータからの指示による原稿読取送信ジョブを実行中である場合には新規の原稿読取送信ジョブを受け付けない。即ち、特許文献１に記載の技術においては、他のユーザによるファックス装置の使用状況によって新規の原稿読取送信ジョブの実行可否が決定されるため使い勝手が良くないという問題があった。
また、特許文献１に記載の技術では、別々のクライアントコンピュータからほぼ同時に原稿読取送信ジョブを受信した場合、先に受信したジョブで指定されている宛先に対して原稿を読み取って生成した画像データを送信する。そのため、ユーザが意図していない宛先、即ち、他のクライアントコンピュータから指示された原稿読取送信ジョブで指定されている宛先に対して画像データが送信される可能性があり、セキュリティ上問題がある。
本願請求項１に係る発明は、ユーザ情報と送信宛先を示す情報を受信し、受信したユーザ情報に示されるユーザが画像処理装置にログインしていない場合、読み取り指示を受け付ける画面を表示せず、ユーザ情報と送信宛先を示す情報とを受信し、受信したユーザ情報に示されるユーザが画像処理装置にログインしている場合、ユーザ情報と送信宛先を示す情報とを受信し、ユーザの操作を受け付けることなく読み取り指示を受け付ける画面を表示する仕組みを提供することを目的とする。
また本願請求項８に係る発明は、ユーザ情報と送信宛先を示す情報を受信し、受信したユーザ情報に示されるユーザが画像処理装置にログインしていない場合、スキャン設定画面を表示せず、ユーザ情報と送信宛先を示す情報とを受信し、受信したユーザ情報に示されるユーザが画像処理装置にログインしている場合、ユーザ情報と送信宛先を示す情報とを受信し、ユーザの操作を受け付けることなく前記スキャン設定画面を表示する仕組みを提供することを目的とする。
また本願請求項１５に係る発明は、ユーザ情報と送信宛先を示す情報を受信し、画像処理装置にログイン中のユーザと、受信したユーザ情報に示されるユーザが一致しない場合、読み取り指示を受け付ける画面を表示せず、ユーザ情報と送信宛先を示す情報とを受信し、画像処理装置にログイン中のユーザと、受信したユーザ情報に示されるユーザが一致する場合、ユーザ情報と送信宛先を示す情報とを受信し、ユーザの操作を受け付けることなく読み取り指示を受け付ける画面を表示する画像処理装置を提供することを目的とする。
また本願請求項２２に係る発明は、ユーザ情報と送信宛先を示す情報を受信し、画像処理装置にログイン中のユーザと、受信したユーザ情報に示されるユーザが一致しない場合、スキャン設定画面を表示せず、ユーザ情報と送信宛先を示す情報とを受信し、画像処理装置にログイン中のユーザと、受信したユーザ情報に示されるユーザが一致する場合、ユーザ情報と送信宛先を示す情報とを受信し、ユーザの操作を受け付けることなくスキャン設定画面を表示する仕組みを提供することを目的とする。
【手続補正３】
【補正対象書類名】明細書
【補正対象項目名】０００５
【補正方法】変更
【補正の内容】
【０００５】
そこで、本発明の画像処理装置は、通信端末と通信可能であり、表示部を有する画像処理装置であって、原稿を読み取り、画像データを生成する読取手段と、前記画像データを送信する送信手段と、前記画像処理装置のユーザをログインさせるログイン手段と、前記通信端末を使用するユーザを示すユーザ情報と、前記送信手段が前記画像データを送信する際に使用する送信宛先を示す情報と、を前記通信端末から受信する受信手段と、前記受信手段が前記ユーザ情報と前記送信宛先を示す情報とを受信し、前記受信手段が受信した前記ユーザ情報に示されるユーザが前記画像処理装置にログインしていない場合、前記表示部に前記読取手段への読み取り指示を受け付ける画面を表示せず、前記受信手段が前記ユーザ情報と前記送信宛先を示す情報とを受信し、前記受信手段が受信した前記ユーザ情報に示されるユーザが前記画像処理装置にログインしている場合、前記受信手段が前記ユーザ情報と前記送信宛先を示す情報とを受信し、ユーザの操作を受け付けることなく前記表示部に前記読取手段への読み取り指示を受け付ける画面を表示する表示手段と、前記読取手段への読み取り指示を受け付ける画面が表示されているときに読み取り指示を受け付ける受付手段と、を有し、前記読取手段は、前記受付手段が前記読み取り指示を受け付けることに従って原稿を読み取り、画像データを生成し、前記送信手段は、前記生成された画像データを前記送信宛先に送信することを特徴とする。
【手続補正４】
【補正対象書類名】明細書
【補正対象項目名】０００６
【補正方法】変更
【補正の内容】
【０００６】
本発明によれば、ユーザ情報と送信宛先を示す情報を受信し、受信したユーザ情報に示されるユーザが画像処理装置にログインしていない場合、読み取り指示を受け付ける画面を表示せず、ユーザ情報と送信宛先を示す情報とを受信し、受信したユーザ情報に示されるユーザが画像処理装置にログインしている場合、ユーザ情報と送信宛先を示す情報とを受信し、ユーザの操作を受け付けることなく読み取り指示を受け付ける画面を表示する画像処理装置を提供することができる。
また、ユーザ情報と送信宛先を示す情報を受信し、受信したユーザ情報に示されるユーザが画像処理装置にログインしていない場合、スキャン設定画面を表示せず、ユーザ情報と送信宛先を示す情報とを受信し、受信したユーザ情報に示されるユーザが画像処理装置にログインしている場合、ユーザ情報と送信宛先を示す情報とを受信し、ユーザの操作を受け付けることなく前記スキャン設定画面を表示する画像処理装置を提供することができる。
また、ユーザ情報と送信宛先を示す情報を受信し、画像処理装置にログイン中のユーザと、受信したユーザ情報に示されるユーザが一致しない場合、読み取り指示を受け付ける画面を表示せず、ユーザ情報と送信宛先を示す情報とを受信し、画像処理装置にログイン中のユーザと、受信したユーザ情報に示されるユーザが一致する場合、ユーザ情報と送信宛先を示す情報とを受信し、ユーザの操作を受け付けることなく読み取り指示を受け付ける画面を表示する画像処理装置を提供することができる。
また、ユーザ情報と送信宛先を示す情報を受信し、画像処理装置にログイン中のユーザと、受信したユーザ情報に示されるユーザが一致しない場合、スキャン設定画面を表示せず、ユーザ情報と送信宛先を示す情報とを受信し、画像処理装置にログイン中のユーザと、受信したユーザ情報に示されるユーザが一致する場合、ユーザ情報と送信宛先を示す情報とを受信し、ユーザの操作を受け付けることなくスキャン設定画面を表示する画像処理装置を提供することができる。